(57)【要約】      （修正有）【課題】発光管を支持するサポート部材にガラス製外管バルブの落下防止機能を有する弾性係止部材を設けた、構造簡単で形成作業も容易な高圧放電ランプおよびこの放電ランプを用いた照明装置を提供する。【解決手段】発光管１、この発光管１を支持する一対のサポート部材４１，４２と、膨出部５２に連設してこの膨出部５２より小径のネック部５１を有するガラス製外管バルブ５と、上記一対のサポート部材４１，４２と同軸方向に延在して一端部側がサポート部材４１，４２の側部にそれぞれ固定されるとともに中間部が側方に突出して膨出部５２に配設される屈曲部をそれぞれ有しており、この一対の屈曲部同士の最大間隔がネック部５１の最小内径部より大きくなるように設けられた一対の弾性係止部材７，７とを備えた高圧放電ランプＬ１およびこのランプＬ１を用いた照明装置である。【選択図】図１
2010056081.tif 000002
【特許請求の範囲】
【請求項１】
発光管と；
この発光管を支持する一対のサポート部材と；
上記サポート部材が取付けられたステムと；
膨出部に連設してこの膨出部より小径のネック部を有するとともにネック部端部に上記ステムを封止してなるガラス製外管バルブと；
上記一対のサポート部材と同軸方向に延在して一端部側がサポート部材の側部にそれぞれ固定されるとともに中間部が側方に突出して膨出部に配設される屈曲部をそれぞれ有しており、この一対の屈曲部同士の最大間隔がネック部の最小内径部より大きくなるように設けられた一対の弾性係止部材と；
上記封止部に接合されるとともに上記発光管に電気的に接続された口金と；
を具備していることを特徴とする高圧放電ランプ。
【請求項２】
上記弾性係止部材の中間部の側方に突出した山形屈曲部と、この屈曲部の上記外管バルブの管軸に沿う仮想延長上のネック部方向にあるバルブ内壁との間隔が２０ｍｍ以下であることを特徴とする請求項１に記載の高圧放電ランプ。
【請求項３】
上記弾性係止部材の固定部反対側の他端部の自由端が上記サポート部材から離間していることを特徴とする請求項１または２に記載の高圧放電ランプ。
【請求項４】
照明装置本体と；
この照明装置本体に配設された上記請求項１ないし３のいずれか一に記載の高圧放電ランプと；
を備えていることを特徴とする照明装置。
【発明の詳細な説明】
【技術分野】
【０００１】
本発明は、外管バルブ内にサポート部材を介し発光管が設けられたメタルハライドランプなどの高圧放電ランプおよびこの放電ランプを装着した照明装置に関する。
【背景技術】
【０００２】
高圧放電ランプ、例えばメタルハライドランプは、高効率、光演色性の光源として、店舗、工場、ホールやスポーツ施設などの照明用として広く用いられている。
【０００３】
この高圧放電ランプは、放電電極および金属ハロゲン化物や希ガスなどの放電媒体を封装した発光管を発光源として、この発光管を支持させたマウントのステム管とガラス製外管バルブのネック部とを封止し、外管バルブ内を不活性ガスや窒素ガスあるいは真空雰囲気として発光管の保護、保温や外管内金属部品の酸化防止を図った二重管構造となっている。
【０００４】
ところで、このメタルハライドランプは、稀にではあるが寿命末期などに発光管容器材料の石英ガラスが、ハロゲン化金属と反応してその強度を低下させ発光管を破損し、その破片が外管バルブに衝突して外管バルブをも破損飛散させるという危険性を有していた。
【０００５】
そこで、この対策として発光管を耐熱透光性のガラス管（中管）で囲い外管バルブ内に配設するなどの対応がとられ一応の効果を上げている。
【０００６】
また、この種高圧放電ランプは、照明装置のソケットへの口金の装着時あるいは点灯経過時においても稀有ではあるがマウントのステム管と外管バルブネック部との封止部やこの封止部近傍においてクラックなどの割れを生じることがあった。
【０００７】
これは、外管バルブとマウントのステム管との封止作業時の加熱バーナや除歪バーナの調整不具合、封止部をモールド成形した際などに封止部や封止部近傍のガラスが均一な肉厚で縮径や膨出されず厚肉や薄肉の部分が生じたり、微小な傷やひび割れの進行、加工残存歪強度や部分的に歪差が大きくなったりあるいはバルブから導出した外部導入線と口金とを半田などのろう材を用い接続するスポット的な加熱時に生じる歪などに起因している。
【０００８】
すなわち、Ｅ（ねじ込み）形口金をソケットにねじ込みながら装着する際に外管バルブの封止部やその近傍のネック部に強い捻り力が加わったり、ランプ点滅による熱的衝撃あるいは振動衝撃などが薄肉部や微小な傷やひび割れ部分、あるいは歪量が大きい部位に作用した場合にクラックや割れが生じることがあった。
【０００９】
そこで、上記高圧放電ランプなどの二重管構造の管球において、外管バルブが傷や歪などに起因して封止部やこの封止部近傍のネック部において破損し脱落しようとしても、発光管を支持するマウントのリード部材に落下防止ストッパー（落下防止用留め金）を設けておきバルブの脱落防止を図ることが知られている。（特許文献１、２）
【先行技術文献】
【特許文献】
【００１０】
【特許文献１】特開２００２−１８４３５９号公報
【特許文献２】特開２００８−６６２２２号公報
【発明の概要】
【発明が解決しようとする課題】
【００１１】
上記特許文献１、２に示されたバルブ落下防止ストッパー（落下防止用留め金）は、口金側が上方（ベースアップ）で点灯される管球のマウントのリード部材に管軸と直交ないし斜交する方向に延出したステンレス鋼板からなるアーム（留め金）状のものであって、１本の管球のリード部材に１または複数個設けられ、外管バルブの膨出部内においてはその先端部がバルブ内壁面には当接していないが、ネック部が破損して脱落をはじめると、膨出部からネック部にかけ徐々に縮径されている部分において上記アーム（留め金）が内壁に当接し脱落しようとしているバルブを引掛けて、その落下を防ぐものである。
【００１２】
このバルブ落下防止ストッパー（落下防止用留め金）の具体的構造は、上記アーム（留め金）がリード部材にこのリード部材軸を基点としてバルブのトップ側に最大１１０度位まで重力に従い回動できるものである。
【００１３】
完成した管球は、口金側を上方（ベースアップ）にして垂直ないしは斜行して点灯され、このとき上記アーム（留め金）は重力によりリード部材軸（管軸）とほぼ直交した方向に延在させておくことができる。
【００１４】
このようなアーム（留め金）を用いバルブの落下防止をはかったものは、アーム（留め金）が所定の角度開いていれば所望の効果が得られる。
【００１５】
しかしながら、アーム（留め金）の自重により回動を与えるものでは、回動部である心棒や突起部がばりなどで円滑に動かなかったり管球に衝撃や振動が加わった場合にアーム（留め金）が跳ね上がった位置になっていて、その先端部がネック部内壁面にも届かなくて容易にネック部の通過を許しバルブの落下を招くという虞があった。また、一つのアームではランプが斜行して点灯された場合、特に心配があった。
【００１６】
本発明は、上記課題に鑑みなされたもので、発光管を支持するサポート部材にガラス製外管バルブの落下防止機能を有する弾性係止部材を設けた、構造簡単で形成作業も容易な、品質および生産性の向上がはかれる高圧放電ランプおよびこの放電ランプを用いた照明装置を提供することを目的とする。
【課題を解決するための手段】
【００１７】
本発明の請求項１に記載の高圧放電ランプは、発光管と；この発光管を支持する一対のサポート部材と；上記サポート部材が取付けられたステムと；膨出部に連設してこの膨出部より小径のネック部を有するとともにネック部端部に上記ステムを封止してなるガラス製外管バルブと；上記一対のサポート部材と同軸方向に延在して一端部側がサポート部材の側部にそれぞれ固定されるとともに中間部が側方に突出して膨出部に配設される屈曲部をそれぞれ有しており、この一対の屈曲部同士の最大間隔がネック部の最小内径部より大きくなるように設けられた一対の弾性係止部材と；上記封止部に接合されるとともに上記発光管に電気的に接続された口金と；を具備していることを特徴とする。
【００１８】
ガラス製外管バルブ端部のネック部を加熱溶融し縮径して形成されるステムとの封止部近傍は、熱加工による残存歪、傷や薄肉部分などが生じることがあり、これらを起点として発生したクラックによってバルブが破損して口金から脱落することがある。
【００１９】
しかし、本発明は対向する一対のサポート部材の側部一対の弾性係止部材が設けられており、この係止部材の突出した屈曲部から先端部または固定部にかかる部分おいて、落下をはじめたバルブの膨出部からネック部にかかる徐々に縮径されている部分が引っ掛って係止され、さらにバルブが落下するのを阻止する。
【００２０】
また、上記において弾性係止部材の固定部反対側の突出した先端部がバルブから圧力を受けた場合の部材の収縮時に、サポート部材と当接するようにしておくことにより、反発力が増し強い弾性(ばね性)でバルブを係止させることができる。
【００２１】
そして、この山形係止部材はばね性を有していて、マウントを外管バルブ内に挿入するときは係止部材の屈曲部外面側がネック部内壁面に当接して押圧され固定部と反対側の自由端がサポート部材に沿って伸長し、屈曲部がネック部内を通過し膨出部内に入り押圧が解けると復元されネック部の内径より屈曲部間の間隔が大きくなっている。
【００２２】
また、外管バルブ内に挿入されるマウントのネック部内壁面と当接する屈曲部の外面側頂点を曲面などの円滑面としておくことにより、バルブ内壁面や形成された光拡散膜や反射膜などの被膜に傷が付き難くなる。
【００２３】
なお、本発明および以下の発明においてガラス製外管バルブの材質は品種や点灯時の温度などに対応して決められるが、石英ガラス、ホウケイ酸ガラスやアルミノシリケートガラスあるいはソーダライムガラスが用いられ、その形状はＡ形、Ｇ形、Ｒ形、Ｔ形、ＰＳ形やＢＴ形などあるいはこれらの複合形で端部のネック部にフレアステムやボタンステムなどが焼落とし封止や衝合封止により封止されたものある。
【００２４】
また、本発明でいうバルブの膨出部はＧ形、Ｒ形やＢＴ形などのバルブでは明確に視認できるが、Ｔ形などのバルブにおいては直管状をなす連続する最大径部がこれに相当し、この最大径部が序々に縮径される封止形成部がネック部になる。
【００２５】
また、サポート部材はモリブデン（Ｍｏ）やステンレスなどの線材や板状体を略長四角形状の枠状や略コ字形状に成形して、発光管の両端を固定支持するとともに給電部材としての作用をなす。このサポート部材には発光管のほかシュラウド（中管）、始動回路や緩衝部材などが設けられていてもよく、サポート部材は２本以上のリード線で形成されていてもよい。
【００２６】
また、弾性係止部材はたとえばＪＩＳ  Ｇ４３１３に記載のステンレスやモリブデン（Ｍｏ）などの材料からなる線材や板状体を用い側面からみて中間部に略く字形状や略半円形状などの突出したばね性をもたせた山形の屈曲部が形成されるよう折り曲げ成形されたもので、サポート部材を構成するサポート線などに一端側が溶接などの手段で接続固定されている。
【００２７】
この弾性係止部材の配設位置はバルブとの当接部近くが好ましいが、シュラウド（中管）など発光管近くでもよく、また、固定側は、バルブのトップ側であってもネック部側であってもよい。また、この固定部はサポート線などの外周面に添うよう（必ずしも全面が当接していなくても、たとえば線接触状態であってもよい。）円筒状や角筒状などの一部を形成する弯曲部や折曲部としておくことによりサポート線との接続作業を容易に、かつ、強固に行わせることができる。
【００２８】
なお、上記弾性係止部材は、分離落下するバルブを確実に捕捉するには高弾性のものがよいが、マウントをバルブ内に挿入する際にはバルブ内壁面や被膜に傷を付けず作業性がよい弱弾性のものが好ましい。この弾性の強弱は相反する作用効果を呈するが、その選択はバルブの重量、内面形状や被膜の有無など、弾性係止部材の材質、厚さなどの寸法や形状などを考慮して適宜決めればよい。
【００２９】
また、この封止部を覆い口金が接着剤を介しあるいは螺合や係合されるねじ溝などが予めモールド成形されメカニカル的に接合されている。
【００３０】
外管ガラスバルブは内部に発光管を収容するもので、発光管を支持するサポート部材や点灯回路部品が収容されていてもよく、発光管の周囲を耐熱透光性材料からなるシュラウド（中管）などで囲じょうしてあってもよい。
【００３１】
また、内部に収容した発光管を構成する透光性気密容器の材質は、ガラス製に限らず高耐熱性を有するアルミナなどのセラミックス製のものであってもよい。
【００３２】
口金はＥ（ねじ込み）形に限らず、Ｓ（差込み）形などであってもよい。また、シェル部と一体または一体的に設けられた金属製あるいはセラミックスなどの電気絶縁性の材料で形成されたバルブの封止部およびネック部を収容して接合するアダプタ部を有する口金であってもよい。
【００３３】
さらに、高圧放電ランプは、メタルハライドランプ、高圧ナトリウムランプや水銀ランプなどに適用して口金から外管バルブの脱落を防止できる。
【００３４】
本発明の請求項２に記載の高圧放電ランプは、上記弾性係止部材の中間部の側方に突出した山形屈曲部と、この屈曲部の上記外管バルブの管軸に沿う仮想延長上のネック部方向にあるバルブ内壁との間隔が２０ｍｍ以下であることを特徴とする。
【００３５】
サポート部材に固定される弾性係止部材の配設位置は、バルブのネック部にできるだけ近いほうが好ましく、落下するバルブを加速度の小さい落下間隔（距離）Ｈが２０ｍｍ以下の短いうちに屈曲部近傍で受け止めるようにしておけば、両者に加わる衝撃（力）も小さくさらにバルブが割れるなどのことを抑制することができる。また、上記間隔が長くなると加速度が大きくなるのでこれに耐える材料の選択が必要で、コストアップの虞がある。
【００３６】
なお、バルブは開口部側が上方の状態で多少の傾きをもって落下するが、本発明でいう落下間隔Ｈはバルブ軸に沿う垂直状態での距離である。
【００３７】
本発明の請求項３に記載の高圧放電ランプは、上記弾性係止部材の固定部反対側の他端部の自由端が上記サポート部材から離間していることを特徴とする。
【００３８】
弾性係止部材の屈曲部をはさむ固定部反対側の自由端は他の部材と当接していない外管バルブ内の中空部、好ましくは外管バルブの内径がネック部の最小内径部より大きい部位の内側に設けられており、この自由端において分離して落下するバルブの縮径部を係止させることができる。また、この自由端の先端部には、バルブの縮径部を係止し易い折り返しなどを形成しておくことは差し支えない。
【００３９】
本発明の請求項４に記載の照明装置は、照明装置本体と；この照明装置本体に配設された上記請求項１ないし３のいずれか一に記載の高圧放電ランプとを備えていることを特徴とする。
【００４０】
この照明装置は、本体内に点灯回路装置を備えていても、本体外に点灯回路装置を設け放電ランプと接続されるものであってもよい。また、本体内に反射鏡や光放射側にレンズや透光性のカバー部材が設けられていてもよい。
【発明の効果】
【００４１】
請求項１記載の発明によれば、封止部からネック部にかけた部分において傷や歪などによりバルブが破損し落下しそうになっても、弾性係止部材がバルブを引掛けてその脱落の防止がはかれる、人や物品などに危害を及ぼさない安全性の向上した高圧放電ランプを提供することができる。
【００４２】
請求項２記載の発明によれば、落下するバルブを落下距離が小さいうちに捕捉することにより、係止部材を低い弾性力で構成して確実に落下防止がはかれるとともにバルブ内面に形成された被膜に擦り傷を生じないなどの品質および安全性の向上した高圧放電ランプを提供することができる。
【００４３】
請求項３記載の発明によれば、自由端側において分離し落下するバルブの縮径部を容易に係止させることができる。
【００４４】
請求項４記載の発明によれば、請求項１ないし３のいずれか一に記載の効果を奏する高圧放電ランプを備えているので、バルブの落下による事故の防止がはかれる照明装置（器具）を提供することができる。
【００４５】
なお、この照明装置（器具）は、店舗、ホール、地下街、事務所やスポーツ施設などの照明用として用いることができる。
【図面の簡単な説明】
【００４６】
【図１】本発明の実施の形態に係る高圧放電ランプとして、例えばメタルハライドランプの概略を示す正面図である。
【図２】図１中の要部である弾性係止部材およびその近傍の概略を示す拡大正面図である。
【図３】（ａ）図は本発明の高圧放電ランプに用いられる他の弾性係止部材およびその近傍の概略を示す拡大正面図、（ｂ）図は弾性係止部材の斜視図である。
【図４】図は本発明の高圧放電ランプに用いられる他の弾性係止部材およびその近傍の概略を示す拡大正面図である。
【図５】（ａ）図は本発明の高圧放電ランプに用いられる他の弾性係止部材の概略を示す拡大正面図、（ｂ）図は弾性係止部材の上面図である。
【図６】本発明の実施の形態に係る他の高圧放電ランプの概略を示す正面図である。
【図７】本発明の実施の形態に係る上記メタルハライドランプを装着したスポーツ施設照明用などの高天井用の照明器具の概略を示す正面図である。
【発明を実施するための形態】
【００４７】
以下、本発明の実施の形態を図面を参照して説明する。図１は本発明に係る高圧放電ランプとして、例えばメタルハライドランプの概略を示す正面図、図２は図１中の要部である一方の弾性係止部材近傍の概略を示す拡大正面図である。
【００４８】
図において１は発光源となる発光管、３はこの発光管１などを支持するとともに発光管１に給電をなすマウント、５はこのマウント３を内部に封装したガラス製外管バルブ、６はこのバルブ５の端部に接合されたＥ（ねじ込み）形の口金で、これらを主要部材としてメタルハライドランプＬ１を構成している。
【００４９】
これら各部分について詳述すると、上記発光管１は石英ガラスやセラミックスなどからなる透光性気密容器、ここでは石英ガラスからなる肉厚が１．０mm〜２．０mm程度で、内径１０〜２０mm程度、長手方向の内側端部の間隔が２５〜６０mm程度の直管（Ｔ）形の容器１１が用いられ、この容器１１の両端部には圧潰封止部１２，１３が形成されていて、一方の圧潰封止部１２内にはリボン状のモリブデン（Ｍｏ）からなる一対の金属箔２１，２２が、他方の圧潰封止部１３内には金属箔２１がそれぞれ気密に封止られている。
【００５０】
また、各金属箔２１，２１，２２の内寄りにはタングステン（Ｗ）などで構成した放電電極２ａ，２ａ，２ｂを有する内部リード部材が、容器１１の外寄りにはモリブデン（Ｍｏ）線などからなる外部リード部材２３，２３、２４がそれぞれ溶接やかしめ止めなどの手段で接続されている。上記放電電極２ａ，２ａの先端間は１５〜４５mmの間隔を隔て主電極として対向配置され、また、放電電極２ｂは補助電極として一方の放電電極２ａの近傍に配置されている。
【００５１】
また、発光管容器１１内には、発光および放電媒体として所定量の水銀と金属ハロゲン化物および５kPa〜２０kPaのアルゴン（Ａｒ）ガスが封入してある。
【００５２】
なお、希ガスとしてはアルゴン（Ａｒ）ガスが適しているが、分圧比で１０％以下、好ましくは５％以下のネオン（Ｎｅ）などの他の希ガスが混入されていてもよい。また、金属ハロゲン化物としては、よう素（Ｉ）や臭素（Ｂｒ）や塩素（Ｃｌ）などのハロゲンと、ナトリウム（Ｎａ）、スカンジウム（Ｓｃ）、セシウム（Ｃｓ）やディスプロシウム（Ｄｙ）などの少なくとも一種の発光金属とが封入され、発光効率、演色性や色温度などの特性向上をはかっている。
【００５３】
マウント３は、一対の導入線３２，３３が気密封着されたステム３１と、一方の導入線３２に溶接などの手段で接続されたモリブデン（Ｍｏ）やステンレスなどの線材や板状体を略長四角形状の枠状に成形した一対のサポート部材４１，４２ここでは線材と、このサポート線４１，４２に上記発光管１両端の圧潰封止部１２，１３を両側から挟圧支持して固定した一対のバンド状部材４３，４３と、このバンド状部材４３，４３またはサポート線４１，４２に取付片（図示しない。）を介し固定されたリング状などをなす固定部材４４，４４と、この固定部材４４，４４に上下端面部が支持されるとともに上記発光管１を囲じょうするよう配設された透明石英ガラス管からなるシュラウド（中管）４５と、補助電極として作用する上記放電電極２ｂの外部リード部材２４とサポート線４１との間に接続された抵抗器やバイメタルなどの熱応動スイッチからなる始動回路部４６と、主電極として作用する上記放電電極２ａの外部リード部材２３と導入線３２に接続されたリード線４９との間に介在した給電部材４７と、主電極として作用する上記放電電極２ａの外部リード部材２３とサポート線４１との間に接続された給電部材４８と、各サポート線４１，４２の外側面部に一端が接続された一対の弾性係止部材７，７とを主要部品として構成されている。
【００５４】
さらに、弾性係止部材７，７（左右略対称構造であるので一方のみを図示。）について図２を参照して詳述する。各弾性係止部材７，７はステンレスやモリブデン（Ｍｏ）などの板状体や線状体ここでは帯状にカットされた平板状体が用いられ、正面からみてサポート線４１，４２と同軸方向に延在してこのサポート線４１，４２に溶接などの手段で接続固定された平板状の固定部７１と、この固定部７１に続きばね作用をなす略半円形状をした山形の屈曲部７２と、この屈曲部７２に続き形成された自由端をなす他端部７３とからなっている。
【００５５】
そして、対向する各サポート線４１，４２の対称する側部に固定された弾性係止部材７は、膨出部５２内において自由端７３がサポート線４１，４２側と反発したバルブ５方向に反り、山形屈曲部７２，７２外面の頂点間の間隔Ｓが外管ガラスバルブ５のネック部５１の内径Ｄより大きいＳ＞Ｄの関係にあって、屈曲部７２はネック部５１の内径部からバルブ５軸にほぼ並行して沿う仮想延長線Ｙ−Ｙより外側にある。また、バルブ５軸にほぼ並行して沿うバルブ５の縮径されている部分Ｂ点と、弾性係止部材７の屈曲部７２から固定部７１に向かう部位Ｃ点との間隔Ｈは約１６ｍｍとしてある。
【００５６】
また、外管バルブ５は例えば全長が約２６０ｍｍのホウケイ酸ガラスなどの透光性の硬質ガラスからなり、中央部に最大外径が約１１６ｍｍの膨出部５２を有するとともに図示下部側の閉塞されたトップ部５３および上部側の外径が約５０ｍｍの小径のネック部５１を有するいわゆるＢＴ形をなしている。このネック部５１側には上記ステム３１のフレア部（図示しない。）が封止られた封止部(図示しない。)を有し、封止後ステム３１に設けられた排気管（図示しない。）を通じ外管バルブ５内は排気され、アルゴン（Ａｒ）などの不活性ガスや窒素（Ｎ2)ガスなどが封入あるいは真空とした気密雰囲気としてある。
【００５７】
また、この封止部には封止部を覆ってE３９（ねじ込み）形口金６のシェル部６１が耐熱性の接着剤を介し接合されていたり、モールドにより形成された螺旋状のねじ溝にＥ形口金６のシェル部６１が螺合されることにより取付けられている。
【００５８】
そして、図１に示す高圧放電ランプは、ＢＴ型の外管バルブ５内に発光管１を収容した二重管構造のメタルハライドランプＬ１として、口金６側が上方にくる鉛直あるいは傾斜した状態のベースアップで点灯される。
【００５９】
すなわち、このメタルハライドランプL１の点灯は、ランプL１をソケットに装着して電源から安定器などを有する点灯回路装置（図示しない。）を介し通電される。このランプL１は、始動時、口金６の端子部(シェル６１およびアイレット６３)と電気的に接続した導入線３２，３３、サポート部材４１，４２、給電部材４７，４８、リード線４９、外部リード部材２３，２４、金属箔２１，２２などを介し主電極２ａ，２ａおよび補助電極２ｂに電圧が印加される。
【００６０】
そして、放電はまず近接している一方の主電極２ａと補助電極２ｂとの間で起り、ついで主電極２ａ，２ａ間の放電へと移行しランプＬ１が発光する。主電極２ａ，２ａ間で放電が始まれば、抵抗器や熱応動スイッチなどからなる始動回路部４６は、熱応動スイッチが動作して回路を遮断したり、抵抗器により電圧が低下して主電極２ａとこの主電極２ａに近接する補助電極２ｂとの間の放電を停止させたり、その後は主電極２ａ，２ａ間での放電で安定した点灯を持続させることができる。
【００６１】
そして、本実施形態のメタルハライドランプＬ１によれば、外管ガラスバルブ５で最も機械的強度が弱い封止部やネック部５１にかけた部分において傷や歪などに起因してバルブが破損し分離してもバルブ５が床面などに落下するのを防ぐことができる。
【００６２】
すなわち、外管バルブ５が封止部やネック部５１にかけた部分において破損し口金６側から分離した場合であっても、落下をはじめたバルブ５の膨出部５２からネック部５１にかかる徐々に縮径されている部分（Ｂ点）が、ネック部５１の内径より大きい間隔にある一対の弾性係止部材７，７の突出した屈曲部７２から固定部７１にかかる部位（Ｃ点）に引っ掛って係止され、さらに落下するのが阻止される。また、上記Ｃ点からＢ点までの間隔Ｈを約１６ｍｍとしてあるので、落下するバルブ５に加速度があまり加わらないうちに捕捉することができる。
【００６３】
これは上記各弾性係止部材７がばね性を有していて、マウント３をバルブ５内に挿通させるときは屈曲部７２頂点の外面側がネック部５１の内壁面に当接して押圧（圧縮）され偏平状に変形するとともに固定部７１と反対側の自由端７３がリード線４１，４２に沿って伸長し、山形の屈曲部７２がネック部５１内を通過し膨出部５２内に入り当接（押圧）が解けると復元されネック部５１の内径Ｄより屈曲部７２，７２頂点間の間隔Ｓが大きくなることによる。
【００６４】
そして、このように挿通時、ネック部５１内壁面に当接して擦りながら挿通される屈曲部７２は半円形をなす頂点部であるので、抵抗が少なくネック部５１内壁面に傷を付けることもなく、また、光拡散膜や反射膜などの被膜が形成されていてもこれら被膜に傷を付けたり、たとえ傷が付いても微少であってランプＬ１の外観品質を大きく損うこともない。
【００６５】
したがって、口金６から分離したバルブ５が床面などに脱落するのを防ぐことができ、下方にある人や物品などに損傷を与えることがなく、安全性の向上したメタルハライドランプＬ１を提供することができる。
【００６６】
なお、外管ガラスバルブ５内部の発光管１の破裂については、発光管１を囲じょうしたシュラウド（中管）４５により対応することができ、また、この発光管１の破裂によって外管ガラスバルブ５のネック部に万一クラックなどが生じても外管ガラスバルブ５の脱落を阻止できる。
【００６７】
本発明の弾性係止部材７は上記図２に示す形状のほか、図３ないし図５に示すような形状とすることもできる。図中、図２と同一部分には同一の符号を付してその説明は省略する。
【００６８】
図３に示す弾性係止部材７は、サポート部材４１，４２と同軸方向に延在してサポート線４１，４２に溶接などの手段で接続固定された平板状の固定部７１と、この固定部７１に続きばね作用をなす略く字形状をした山形の屈曲部７２と、この屈曲部７２に続き形成された自由端をなす他端部７３とからなっている。
【００６９】
そして、この一対の弾性係止部材７も膨出部５２内において、山形の屈曲部７２，７２外面の頂点間の間隔（Ｓ）とネック部５１の内径（Ｄ）との関係および弾性係止部材７とバルブ５とが当接する予定部位の間隔Ｈが上記実施の形態と略同じで、上述の弾性係止部材７と同様の作用効果を呈する。
【００７０】
例えばこの弾性係止部材７は、板厚が約０．２５ｍｍ、展開長さが約４０ｍｍ、幅が約４ｍｍのステンレス板材を用い、端部から約１０ｍｍのところで左右に約６０度、両方で約１２０度の角度で頂部に摩擦抵抗の小さい曲面（Ｒ２ｍｍ）をもつ山形に折り曲げ、固定部７１の長さを約１０ｍｍ残して約１４０度折返してある。また、図中７４は固定部７１から約９０度起立した舌片である。
【００７１】
この図３に示す弾性係止部材７においては、固定部７１と反対側の他端部の自由端７３側がサポート部材４１，４２などから離間して接触していない。すなわち、外管バルブ５の内部の中空部に存在しており、この自由端７３側において分離し落下するバルブ５の縮径部を係止させることができる。
【００７２】
また、固定部７１と屈曲部７２との延在長さが屈曲部７２と自由端７３先端部との延在長さより長くしておくことによって、固定部７１からバルブ５との当接部（Ｃ点）までの落下寸法を同じとした場合、固定部７１からの立ち上がり角度を小さくでき弾性（ばね性）を低減して（もちろん分離したバルブ５を係止できる弾性力は有している。）、マウントをバルブ５内に挿入するときに弾性係止部材７によるバルブネック部内壁面や光拡散膜や反射膜などの被膜に傷が付き難くすることができる。
【００７３】
また、上記図２および図３において弾性係止部材７の固定部７１と反対側の突出した先端部７３がバルブ５から圧力を受けた場合の部材７の収縮時に、サポート部材４１，４２と当接するようにしておくことにより、反発力が増し強い弾性(ばね性)でバルブ５を係止させることができる。
【００７４】
また、図３において固定部７１に形成した舌片７４は、弾性係止部材７をサポート部材４１，４２などに固定する際に指向性を確保したり断面円形のサポート部材４１，４２に２方向から溶接するなど作業性および接続強度の向上がはかれるものである。また、この舌片７４の形状は角筒状の一部(２片)に限らずサポート部材４１,４２の外形に類似した半円筒状などであってもよい。
【００７５】
図４に示す弾性係止部材７は、サポート部材４１，４２と同軸方向に延在してサポート線４１，４２に溶接などの手段で接続固定された平板状の固定部７１と、この固定部７１に続きばね作用をなす略く字形状をした山形の屈曲部７２と、この屈曲部７２に続き形成された自由端をなす他端部７３とからなっていて、この他端部７３はサポート部材４１，４２と略並行に延在しているとともに両者は当接している。
【００７６】
そして、この一対の弾性係止部材７も膨出部５２内において、山形の屈曲部７２，７２外面の頂点間の間隔（Ｓ）とネック部５１の内径（Ｄ）との関係および弾性係止部材７とバルブ５とが当接する予定部位の間隔Ｈが上記実施の形態と略同じで、上述の弾性係止部材７と同様の作用効果を呈する。
【００７７】
例えばこの弾性係止部材７は、板厚が約０．２５ｍｍ、展開長さが約５０ｍｍ、幅が約４ｍｍのステンレス板材を中央部から左右に約６０度、両方で約１２０度の角度で頂部に摩擦抵抗の小さい曲面（Ｒ２ｍｍ）をもつ山形に折り曲げ、端部側の固定部７１と他端部７３の長さを約５ｍｍとして約１５０度折返しこの他端部７３はサポート部材４１，４２と当接している。
【００７８】
この図４に示す弾性係止部材７においては、固定部７１と反対側の他端部の自由端７３をサポート部材４１，４２と当接させているので、マウントをバルブ５内に挿入するときに弾性係止部材７が圧縮しにくくバルブネック部内壁面や光拡散膜や反射膜などの被膜に強く圧接して傷が付き易くなるが、弾性（ばね性）が強く落下するバルブ５を確実に捕捉させることができる。
【００７９】
図５に示す弾性係止部材７は、図４と略同形状をしているが、自由端をなす他端部７３に略コ字形の案内部７５を形成し、この案内部７５内にサポート部材４１，４２を案内させて弾性係止部材７先端の自由端７３がサポート部材４１，４２から外れるのを防止して弾性（ばね性）の安定をはかることができる。
【００８０】
図６は、本発明の高圧放電ランプＬ２の他の実施の形態を示す概略の正面図で、図中、図１と同一部分は同一の符号を付してその説明は省略する。
【００８１】
図６は透光性気密容器１１にアルミナなどのセラミックスが用いられ、容器１１内に発光および放電媒体として所定量の水銀と金属ハロゲン化物が封入された発光管１であって、発光管１はステム管３１にサポート部材３を介し支持され、このステム管３１がＴ形（直管形）をなすガラス製の外管バルブ５と封止されて小形のメタルハライドランプＬ２が構成されている。また、このランプＬ２の外管バルブ５内のサポート線４１，４２には上記図２に示す弾性係止部材７が溶接などの手段で接続固定されている。なお、この図３の場合、弾性係止部材７の固定部７１はバルブ５のトップ側としてある。
【００８２】
そして、上記ランプＬ２は、直管状部が膨出部５２として、端部の封止により徐々に縮径されたステム管３１との封止形成部がネック部５１として作用し、寿命末期などにおいてこの封止形成部の近傍においてクラックが発生しバルブ５が口金６から分離落下しても、徐々に縮径された封止形成部が山形の屈曲部７２，７２から自由端７３にかかる部位に引っ掛かりそれ以上のバルブ５の落下が防止される。
【００８３】
このメタルハライドランプＬ２の場合も、上記実施の形態のランプＬＩと同様の作用効果を呈する。
【００８４】
図７は本発明に関わる上記高圧放電ランプL１を装着したスポーツ施設照明用などの高天井用の照明器具９の実施の形態の概略を示す正面図である。
【００８５】
図７において照明器具９は、天井面などへの取付部をなす基台９１にソケット９２が取着されているとともにこのソケット９２を囲みガード９３が設けられている。そして、このガード９３の下端には金属板やほうろう製の円錐状をなし内面に反射面が形成された反射笠９４が固定され、上記ソケット９２に放電ランプL１の口金３が装着されることにより保持と電気的な接続がなされる。
【００８６】
なお、この実施の形態では上記基台９１、ガード９３および反射笠９４などで器具本体を構成している。また、ランプの点灯回路装置および電源スイッチ(いずれも図示しない。)は器具本体とは別の所に設けられている。
【００８７】
このような照明器具９は、スポーツ施設の天井面に反射笠９４の開口部側を下方に向けて取付けられ、電源スイッチを入れることにより電源から点灯回路装置、ソケット９２を介して放電ランプL１に通電される。
【００８８】
そして、この反射笠９４内で口金６側を上方(ベースアップ)にした垂直状態にあるランプL１が点灯されると、ランプL１からの可視光は反射面で反射され、あるいは直接に開口部を透過して、被照射物であるコートやグランド面を照射して所定の照度を得ることができる。
【００８９】
したがって、上記高圧放電ランプL１を用いた本発明の実施の形態に係わる照明器具９は、口金６からの外管バルブ５の分離落下を防ぎ安全性の向上をはかることができる。
【００９０】
なお、本発明は上記実施の形態に限るものではない。たとえば、高圧放電ランプはメタルハライドランプ、高圧ナトリウムランプや水銀ランプなどに適用して上記作用効果を奏する。また、ガラス製外管バルブは、石英ガラスまたはホウケイ酸ガラスやアルミノシリケートガラスなどの硬質ガラスあるいはソーダライムガラスなどの軟質ガラスからなり、その形状は、Ａ形、Ｇ形、Ｒ形、Ｔ形、ＰＳ形やＢＴ形などあるいはこれらの複合形状で形成されているものを用いることができる。
【００９１】
また、高圧放電ランプの外管となるバルブの内部は、不活性ガスまたは窒素ガス雰囲気あるいは真空雰囲気などの気密雰囲気としてある。すなわち、外管バルブ内に不活性ガスまたは窒素ガスを低圧封入するか真空雰囲気とすることにより、点灯時に高温となる発光管構成部材、サポート部材やステム構成部材の酸化などを防止するとともにランプの再始動時間を短縮できる。
【００９２】
また、高圧放電ランプは、発光源が少なくとも一対の熱陰極や冷陰極からなる放電電極が封装され、また、外管バルブ内に配設される始動回路部は、点灯管やＵＶエンハンサが用いられるものであってもよい。
【００９３】
また、口金はＥ（ねじ込み）形に限らず、Ｓ（差込み）形などであってもよい。また、シェル部と一体または一体的に設けられた金属製あるいはセラミックスなどの電気絶縁性の材料で形成されたバルブの封止部およびネック部を収容して接合するアダプタ部を有する口金であってもよい。
【００９４】
また、発光管を囲じょうするシュラウド（中管）は、必須のものではないが、発光管容器と同様な石英ガラス、硬質ガラスやセラミックスなどの耐熱透光性の材料を用いることができ、このシュラウドを二重管として耐衝撃強度を高めるようにしてもよい。
【００９５】
このシュラウドのサポート部材への取り付けは、シュラウドの端面とほぼ同形のリング状の金属板の複数箇所に起立片を設けた保持板を両端部に当て起立片を起立させてシュラウドの端部を外側から抑えたり内外面の両側から挟むようにするとともに一部の起立片をサポート部材やバンド部材に溶接などの手段で接続することにより固定したり、シュラウドの端部の相対した部分に軸方向に切込みを設け、この一対の切込みを発光管を固定するバンド部材に装着するなどの手段で係止するようにしてもよい。
【００９６】
また、発光管およびシュラウドを支持する枠状のサポート部材は、光電子作用を回避するため電位のかからない構成としたり、ハロゲン化ナトリウムを封入しない発光管などにおいては電極への給電部材として用いられてサポート部材に電位がかかるものであってもよく、また、発光管およびシュラウドなどの上下端部分の支持が分離した2部品からなる構成のサポート部材であってもよい。
【００９７】
また、マウントを外管バルブ内に挿入するのに際し、ネック部内壁面や被膜などへの擦り傷の発生防止のため、ネック部内径より小径の筒状体内にマウントを収容し、この筒状体をバルブ内に挿入して筒状体のみをバルブ内から引き出した後、封止作業を行うようにすれば、弾性係止部材がネック部内壁面に直接当らないので内壁面や被膜に傷を付けることがない。
【００９８】
さらに、照明装置は上記実施の形態に示すものに限らず、本体内に点灯回路装置を備えていても、本体外に点灯回路装置を設け高圧放電ランプと接続されるものであってもよく、本体内に反射鏡や光放射側にレンズや透光性のカバー部材が設けられていてもよい。
【００９９】
この照明装置は、店舗、ホール、地下街、事務所やスポーツ施設などの照明用として用いることができる。
【符号の説明】
【０１００】
Ｌ１，Ｌ２：メタルハライドランプ、
１:発光管、
３：マウント、
４１，４２:サポート部材、
５:ガラス製外管バルブ、
５１：ネック部、
５２：膨出部、
６:口金、
７：弾性係止部材、
９：照明装置
【図１】
2010056081.tif 000003
【図２】
2010056081.tif 000004
【図３】
2010056081.tif 000005
【図４】
2010056081.tif 000006
【図５】
2010056081.tif 000007
【図６】
2010056081.tif 000008
【図７】
2010056081.tif 000009